【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
登録されたサムネイルの閲覧要求を処理するサーバ装置と通信可能な情報処理装置であって、
複数のサムネイルの表示に対して付加される付加サムネイルの表示態様を特定する表示制御情報を選択する選択手段と、
前記付加サムネイルと前記表示制御情報とを前記複数のサムネイルの管理情報に関連付けて登録させる登録要求を前記サーバ装置に行う要求手段と、
を有することを特徴とする情報処理装置。
【請求項２】
登録されたサムネイルの閲覧要求を処理するサーバ装置と通信可能な情報処理装置であって、
前記サーバ装置に対してサムネイルの閲覧要求を発行する発行手段と、
前記発行手段に対するサムネイル閲覧要求に応答して、第１のサムネイルを前記サーバ装置から取得する第１の取得手段と、
前記第１のサムネイルに関連付けられている第２のサムネイルが登録されているかを前記サーバ装置に問い合わせて確認する確認手段と、
前記確認手段により前記第２のサムネイルが登録されていると確認した場合、前記第２のサムネイルと、前記第２のサムネイルに設定された表示制御情報を取得する第２の取得手段と、
前記第１の取得手段により取得された第１のサムネイルを表示する場合、前記表示制御情報に基づいて、前記第２の取得手段により取得される第２のサムネイルを、前記第１のサムネイルに対して関連付けた状態で表示する処理を制御する表示制御手段と、
を有することを特徴とする情報処理装置。
【請求項３】
情報処理装置からのサムネイルの閲覧要求を処理するサムネイル管理装置であって、
複数のサムネイルに対して関連付けて表示する付加サムネイルの表示態様を特定する表示制御情報を入力する入力手段と、
前記入力手段により入力される前記付加サムネイルの表示態様を特定する表示制御情報を、前記付加サムネイルを前記複数のサムネイルのそれぞれに対して付加して表示する際に用いられる管理情報として登録する登録手段と、
前記登録手段により登録された管理情報を用いて、前記複数のサムネイルの中から要求されたサムネイルに対して前記付加サムネイルが関連付けられた状態で表示するための情報を出力する出力手段とを有することを特徴とするサムネイル管理装置。
【請求項４】
登録されたサムネイルの閲覧要求を処理するサーバ装置と通信可能な情報処理装置におけるコンテンツ処理方法であって、
複数のサムネイルの表示に対して付加される付加サムネイルの表示態様を特定する表示制御情報を選択する選択ステップと、
前記付加サムネイルと前記表示制御情報とを前記複数のサムネイルの管理情報に関連付けて登録させる登録要求を前記サーバ装置に行う要求ステップと、
を有することを特徴とするコンテンツ処理方法。
【請求項５】
前記選択ステップは、前記複数のサムネイルのそれぞれに対して複数の付加サムネイルを選択することを特徴とする請求項４記載のコンテンツ処理方法。
【請求項６】
前記選択ステップは、前記複数の付加サムネイルの表示態様を特定する表示制御情報を選択することを特徴とする請求項４または５記載のコンテンツ処理方法。
【請求項７】
前記表示制御情報は、前記付加サムネイルの表示条件を特定する情報を含むことを特徴とする請求項４に記載のコンテンツ処理方法。
【請求項８】
前記付加サムネイルの表示条件は、表示位置、表示サイズ、表示タイミング、表示権限、表示回数を含むことを特徴とする請求項７記載のコンテンツ処理方法。
【請求項９】
登録されたサムネイルの閲覧要求を処理するサーバ装置と通信可能な情報処理装置におけるコンテンツ処理方法であって、
前記サーバ装置に対してサムネイルの閲覧要求を発行する発行ステップと、
前記発行ステップに対するサムネイル閲覧要求に応答して、第１のサムネイルを前記サーバ装置から取得する第１の取得ステップと、
前記第１のサムネイルに関連付けられている第２のサムネイルが登録されているかを前記サーバ装置に問い合わせて確認する確認ステップと、
前記確認ステップにより前記第２のサムネイルが登録されていると確認した場合、前記第２のサムネイルと、前記第２のサムネイルに設定された表示制御情報を取得する第２の取得ステップと、
前記第１の取得ステップにより取得された第１のサムネイルを表示する場合、前記表示制御情報に基づいて、前記第２の取得ステップにより取得される第２のサムネイルを、前記第１のサムネイルに対して関連付けた状態で表示する処理を制御する表示制御ステップと、
を有することを特徴とするコンテンツ処理方法。
【請求項１０】
前記表示制御ステップは、前記第１のサムネイルに対して複数の第２のサムネイルの関連付け表示を制御することを特徴とする請求項９記載のコンテンツ処理方法。
【請求項１１】
前記表示制御ステップは、前記第１のサムネイルに対して複数の第２のサムネイルの関連付け表示を制御することを特徴とする請求項９記載のコンテンツ処理方法。
【請求項１２】
前記表示制御ステップは、前記第１のサムネイルに対する第２のサムネイルの表示位置、表示サイズを関連付け表示を制御することを特徴とする請求項９記載のコンテンツ処理方法。
【請求項１３】
前記サムネイルのソースとなるコンテンツは、テキスト、画像データを含むことを特徴とする請求項４〜１２のいずれかに記載のコンテンツ処理方法。
【請求項１４】
前記表示制御情報は、前記第２のサムネイルの表示条件を特定する情報を含むことを特徴とする請求項９記載のコンテンツ処理方法。
【請求項１５】
前記第２のサムネイルの表示条件は、表示位置、表示サイズ、表示タイミング、表示権限、表示回数を含むことを特徴とする請求項１４記載のコンテンツ処理方法。
【請求項１６】
情報処理装置からのサムネイルの閲覧要求を処理するサムネイル管理装置におけるコンテンツ処理方法であって、
複数のサムネイルに対して関連付けて表示する付加サムネイルの表示態様を特定する表示制御情報を入力する入力ステップと、
前記入力ステップにより入力される前記付加サムネイルの表示態様を特定する表示制御情報を、前記付加サムネイルを前記複数のサムネイルのそれぞれに対して付加して表示する際に用いられる管理情報として登録する登録ステップと、
前記登録ステップにより登録された管理情報を用いて、前記複数のサムネイルの中から要求されたサムネイルに対して前記付加サムネイルが関連付けられた状態で表示するための情報を出力する出力ステップとを有することを特徴とするコンテンツ処理方法。
【請求項１７】
前記情報処理装置による前記サムネイルの閲覧要求時に、前記情報処理装置で前記複数のサムネイルの中から選択されたサムネイルと、前記関連付けサムネイルと前記表示制御情報とを用いて、ページ情報を決定する決定ステップと、
前記決定ステップにより決定されたページ情報を前記情報処理装置に対して送信する送信ステップと、
を有することを特徴とする請求項１６記載のコンテンツ処理方法。
【請求項１８】
前記表示制御情報は、前記付加サムネイルの表示条件を特定する情報を含むことを特徴とする請求項１６記載のコンテンツ処理方法。
【請求項１９】
前記付加サムネイルの表示条件は、表示位置、表示サイズ、表示タイミング、表示権限、表示回数を含むことを特徴とする請求項１８記載のコンテンツ処理方法。
【請求項２０】
請求項４〜１９のいずれかに記載のコンテンツ処理方法をコンピュータに実行させるためのプログラムを格納したことを特徴とするコンピュータが読み取り可能な記憶媒体。
【請求項２１】
請求項４〜１９のいずれかに記載のコンテンツ処理方法をコンピュータに実行させることを特徴とするプログラム。
【手続補正２】
【補正対象書類名】明細書
【補正対象項目名】００９５
【補正方法】変更
【補正の内容】
【００９５】
さらに、第１の取得機能により取得された第１のサムネイルを表示する場合、表示制御情報に基づいて、前記第２の取得手段により取得される第２のサムネイルを、前記第１のサムネイルに対して関連付けた状態で表示する処理を制御する表示制御機能とを有する。なお、これらの各機能は、図３に示したコンテンツ検索モジュール３０２をＰＣ１０１〜１０３のＣＰＵ２０２が実行することで実現される。
【手続補正３】
【補正対象書類名】明細書
【補正対象項目名】０２０８
【補正方法】変更
【補正の内容】
【０２０８】
次に、ステップＳ１５０５で、表示すべき他のラッピングサムネイルのマスタデータが設定されているかどうかを判別する。そして、他のラッピングサムネイルのマスタデータが設定されていると判別した場合は、ステップＳ１５０３へ戻る。
【手続補正４】
【補正対象書類名】明細書
【補正対象項目名】０２２０
【補正方法】変更
【補正の内容】
【０２２０】
図１７に示すステップＳ１１０１〜Ｓ１１０３は、図１１と同様に処理を行う。そして、ステップＳ１１０３で取得した値に応じた処理を行う。その詳細をＳ１５０１、Ｓ１５０２で説明する。
【手続補正５】
【補正対象書類名】明細書
【補正対象項目名】０２３８
【補正方法】変更
【補正の内容】
【０２３８】
図２０は、図３に示したデータベース１１０で記憶管理されているコンテンツに関わる各種データ例を示す図である。なお、図２０において、図１２と同じものには同一の符号を付して、その説明を割愛する。
【手続補正６】
【補正対象書類名】明細書
【補正対象項目名】０２４２
【補正方法】変更
【補正の内容】
【０２４２】
図２１に示すステップＳ１１０１〜Ｓ１１０３は、図１１と同様に処理を行う。そして、ステップＳ１１０３で取得した値に応じた処理を行う。その詳細をＳ１９０１、Ｓ１９０２で説明する。
【手続補正７】
【補正対象書類名】明細書
【補正対象項目名】０２５２
【補正方法】変更
【補正の内容】
【０２５２】
なお、図２３の（Ａ）は、有効表示期間内の配信画面例を示し、図２３の（Ｂ）は有効表示期間外の配信画面例を示す。なお、図１９と同様のものには、同一の符号を付して、その説明は割愛する。
【手続補正８】
【補正対象書類名】明細書
【補正対象項目名】０２６４
【補正方法】変更
【補正の内容】
【０２６４】
図２５に示すステップＳ１１０１〜Ｓ１１０３は、図１１と同様に処理を行う。そして、ステップＳ１１０３で取得した値に応じた処理を行う。その詳細をＳ２３０１、Ｓ２３０２で説明する。
【手続補正９】
【補正対象書類名】明細書
【補正対象項目名】０２７４
【補正方法】変更
【補正の内容】
【０２７４】
なお、図２７の（Ａ）は、表示有効アクセス回数内の配信画面例を示し、図２７の（Ｂ）は表示有効アクセス回数外の配信画面例を示す。なお、図１９と同様のものには、同一の符号を付して、その説明は割愛する。